(57)【要約】    【課題】  コンパクトかつ廃棄による公害問題を生じない使い捨て傘を安価に提供する。    【解決手段】  軸部材１に複数の骨部材３を揺動自在に軸支し、リング部材１１で脱落防止可能としてある。各骨部材３１〜３５の上部に覆い部材５１〜５４を貼付し、さらに中央シート部材１５により雨水を遮蔽可能としてある。上下の骨部材３１，３５は保持手段１３により所定の位置関係に係止可能としてある。軸部１の下端部には把手部材７を結節可能としてあり、使用時には結節し、不使用時には引き抜いて保管容易としてある。使用前の状態は、保持手段１３の係合状態を解除し、扇子を折り畳む時の要領で各骨部材が折り重なる状態になっており、把手部材７はこれらの骨部材と並行に束ねられて梱包するようになっている。全ての部材を紙などの無公害物質で構成すれば、地球に優しい使い捨て傘となる。    【選択図】  図１
0003121495.tif 000002
【実用新案登録請求の範囲】
【請求項１】
所定長の軸部材と、
上記軸部材に一端部近傍を揺動自在かつ積層状に支持してある複数の骨部材と、
各上記骨部材の上部に貼付してあるとともに、最下層の当該骨部材と最上層の当該骨部材とを相対的に１回転した状態において上記軸部材を中心とする所定範囲を遮蔽可能に設けてある防水用覆い部材と、
上記覆い部材の上面に少なくとも一部が貼付してあり、上記覆い部材が広げられた状態における当該覆い部材で遮蔽された範囲の中央部を遮蔽可能に設けてある防水用シート部材と、
最下層の上記骨部材と最上層の上記骨部材とを互いに当該骨部材の他端部近傍で結合する保持部材と、
上記軸部材の下端部に固定状態に結節可能な把手部材と
により構成してあることを特徴とする使い捨て傘。
【請求項２】
請求項１において、上記軸部材と上記把手部材とは互いに所定長のストラップを介して連結してあることを特徴とする使い捨て傘。
【請求項３】
請求項１又は請求項２において、各上記部材はいずれも焼却時に有害ガスを発生しない物質により構成してあることを特徴とする使い捨て傘。
【考案の詳細な説明】
【技術分野】
【０００１】
本考案は使い捨て傘に関するものである。
【背景技術】
【０００２】
外出先における降雨に対しては、予め傘の準備が大切であるが、これを持ち歩くことは煩わしいため持って行かないことがあり、不意の降雨に遭って辛い思いをしたことがあることは誰でも経験することである。近時は携帯傘が普及し、小形軽量のものが重宝されているが、やはり常に持ち歩くには面倒さが伴うことは否めない。またコンビニエンスストアでも安価なビニール製傘を購入することが出来るが、必ずしも即時に購入可能とは限らないものである。ユニークな傘としては、２枚重ねにした合成樹脂フィルムを熱溶着により複数の骨部と覆い及び柄部となる部分を形成し、柄部の下端に空気封入口を設けたものが提案されている。これは上記の空気封入口から空気を送り込んで柄部や骨部を膨らますことにより、傘の形状を作り空気の吐出口にシールを貼ることによりこの形状を維持するようにしたものである（特許文献１）。
【０００３】
【特許文献１】特開平０９−９８８１１号公報
【考案の開示】
【考案が解決しようとする課題】
【０００４】
上記のコンビニエンスストアで販売されているビニール製傘は、比較的安価であるが、その反面、後日これを再び持ち歩くためには貧弱である。また、寿命も短いのでその場限りの用途に供するものであることから使い捨て傘に属するものである。しかし、これを処分するためには、焼却時に有害ガスを発生すること及び埋め立て処分をしても腐らないことから公害問題が生じる欠点がある。上記特許文献１に記載されている傘は、小形軽量であるので持ち運びには便利であるが、空気の封入作業が面倒である上に、処分する際には上記と同様の理由による公害発生を伴う問題がある。
【課題を解決するための手段】
【０００５】
上記の課題を解決するために、本考案に係る使い捨て傘は、以下の手段を採用することにより以下の作用効果を生じるようにしてある。すなわち、この使い捨て傘は、所定長の軸部材と、この軸部材に一端部近傍を揺動自在かつ積層状に支持してある複数の骨部材と、これらの各骨部材の上部に貼付してあるとともに、最下層の骨部材と最上層の骨部材とを相対的に１回転させた状態において、上記の軸部材を中心とする所定範囲を遮蔽可能に設けてある防水用の覆い部材と、この覆い部材の上面に少なくとも一部が貼付してあり、覆い部材が広げられた状態における遮蔽された範囲の中央部の遮蔽欠落範囲を遮蔽可能に設けてある防水用シート部材と、最下層の骨部材と最上層の骨部材とを互いにこれらの各骨部材の他端部近傍で結合する保持部材と、上記の軸部材の下端部に固定状態に結節可能な把手部材とにより構成してあるところに特徴がある。
【０００６】
この傘は、不使用時には折り畳み状態で最下層の骨部材と最上層の骨部材とを上下に一致させ、保持部材を用いて保持するとともに、把手部材を骨部材と並行状態に保管可能とすることによりコンパクトなものとすることができる。この傘の使用時には、軸部の下端部に把手部材を結節した後、軸部材を中心として骨部材を扇子のように広げ、最下層の骨部材と最上層の骨部材とを一致させて保持部材を用いて上下の骨部材を保持すると、骨部材の上部に設けてある覆い部材が軸部を中心として広げられた状態となる。さらに防水用シート部材で中央部の覆い部材による遮蔽欠落範囲を覆うことにより部材の中心部を遮蔽すれば、雨滴の通過を防止可能となるので傘としての効用が得られる。
【０００７】
請求項２に記載した考案に係る使い捨て傘は、上記の軸部材と上記の把手部材とは互いに所定長のストラップを介して連結してあることを特徴とする。これは軸部と把手の部分とが別部材になっていると、両者が離れて紛失するおそれがあることから、ストラップで繋いでおくことにより常に一体化するようにしたものである。
【０００８】
請求項３に記載した考案は、請求項１又は請求項２における各部材をいずれも燃焼時に有害ガスを発生しない物質により構成してあるところに特徴がある。この使い捨て傘は安価に製造可能であるが、強度的にも不十分なものであることから主として１回ないしは少数回の使用に供するものであるため、短期使用により廃棄することを予定している。したがって、通常の傘であれば廃棄処分をする際に公害問題が生じるが、本考案に係る使い捨て傘は、これを可燃ごみとして処分出来るので、公害問題の発生原因となることが防止可能となる。この傘の各部材の素材としては、紙製品の他、最近のプラスチックには焼却時に有害ガスを発生しないものが開発されているので、このようなものを適宜採用すれば、地球環境に優しい使い捨て傘とすることが可能となる。
【考案の効果】
【０００９】
本考案によれば、極めてコンパクトな使い捨て傘を安価に提供可能となる。また、この使い捨て傘は、焼却時に有害ガスを発生しない物質で構成してあるので、使用後に可燃ごみとして処分可能となり、地球環境に優しい使い捨て傘とすることが出来る。また、把手部材を骨部材と並行状態にすることが出来るので、商品として陳列する場合や携帯するときにはコンパクト化できるので便利である。さらに安価に提供可能なので、サッカーや野球の応援グッズとして販売し、観戦の際にチームカラーに着色したものやチームのキャラクターを印刷したものを配布することが可能となる。
【考案を実施するための最良の形態】
【００１０】
以下本考案を実施するための最良の形態について図面を参照して説明する。図１は、本考案に係る傘を使用可能に広げた状態を斜視図で示したものであり、図２は、同じ状態を正面図で示したものである。図３は、骨部材の例を斜視図で示したものであり、図４は、広げる前の状態を正面図で示しており、図５は、覆い部材を貼付する前の状態の構造体について斜視図で示したものである。
【００１１】
本考案に係る使い捨て傘は、燃焼時に有害ガスを発生しない物質で構成してあるところに特徴があるが、ここではこれに対応するものとして、全ての構成部材を紙製品で構成したものについて説明する。この使い捨て傘の基本構成は、紙筒製の軸部材１に５本の骨部材３（３１〜３５）を揺動自在に支持し、それらの上部に覆い部材５（５１〜５４）を貼り付けたものを雨除け又は日除け部とし、この軸部材１の下端部に把手部材７を継ぎ足して傘としての機能を果たすようにしたものである。各骨部材３は軸部材１に圧入された１対のリング部材１１により脱落不能としてある。また、使用前及び使用中における骨部材３，…の状態保持は、保持部材１３により最下層の骨部材３１と最上層の骨部材３５とを係合及び離反可能としてある。覆い部材５を広げた状態において、その中央部は完全に塞ぎ切れない状態になっている（遮蔽欠落範囲）ので、ここには中央シート部材１５を被せることにより遮蔽可能としてある。
【００１２】
次に、本考案に係る使い捨て傘の各構成部材について詳述する。図４、図５に示すように、軸部材１は、厚肉の紙筒を約５ｃｍの長さに切断し、上端部を雨水が入らないように塞いだものとしてある。軸部材１は、表面全体に防水処理または撥水処理を施して使用中の水濡れによる軟化を防止可能としてある。
【００１３】
図３に示すように、骨部材３は、ダンボール原紙を平帯状に裁断し、一端部側に取付け孔３ａを設けたものからなる。ダンボール原紙は、縦方向の切断面が充填材３ｂの縦方向と並行になるように裁断して強度を得るようにしてある。骨部材３の横幅は、その長さと厚みとに関係するが、通常の風圧等により折り曲がらない強度にしておくことが望ましい。図１に示すように、使用状態における最下層の骨部材５１と最上層の骨部材５５との間には隙間が生じるため、ここから使用中に雨水が進入することがあるので、これらの骨部材の表面には撥水処理等を施しておくことが望ましい。
【００１４】
覆い部材５は、骨部材３の寸法に合わせて略２等辺三角形に裁断し、等辺となっている各辺にのりしろ（図示略）を設け、これらののりしろを介して骨部材３の上部に、糊その他の接着剤により貼り付けてある。各覆い部材５の各部寸法は、被貼付骨部材に段差があるためそれらの位置により少しずつ異なるが、傘を使用可能状態に広げたときに、皺が延ばされて緊張した状態になるように定めることが望ましい。各覆い部材５の表面には貼付後に広げた状態の下に撥水処理等を施してある。
【００１５】
図４、図５に示すように、把手部材７は、軸部材１と同一直径および厚さの紙筒を３０〜５０ｃｍの長さに切断し、上端部に継ぎ手部材８を圧入したものからなる。継ぎ手部材８の軸部材１からの露出部の長さは厚入部の長さとほぼ同一にしてあり、軸部１からの荷重に耐え得るものとしてある。なお、継ぎ手部材８の上端部から所定長の範囲には軸部１への圧入を容易にするための切り込み部８ａが設けてある。傘の不使用時には、図４に示すように折り畳んだ状態の各骨部材３と並行状態とすることができるので、傘全体の容積がコンパクト化する。使用時には、把手部材７の先端部に圧入してある継ぎ手部材８を、軸部材１の下端部に挿着して固く結節すればよい。
【００１６】
軸部材１と把手部材７とは、連結部材９により連結してある。これは不使用状態下において、両者が離れて把手部材を紛失することを防止するためのものである。図面では粘着テープにより連結したものとしてあるが、両者を細い紐で連結するなどの手段を採用してもよい。さらには、ストラップ部材を設けないものとしても傘としての機能は失われないので、コスト削減などの理由から分離したものとしてもよい。
【００１７】
各骨部材３の脱落防止用のリング部材１１は、紙材をリング状に加工したものからなり、内周面を軸部材１に接着剤で固着することにより使用中に骨部材がずれないようにしてある。なお、水濡れによる軟化防止のために撥水処理等を施しておくことが必要である。
【００１８】
保持部材１３は、最下層の骨部材３１と最上層の骨部材３５とを上下に位置する関係に保持する働きをするものである。保持部材１３は、最下層の骨部材３１の先端部下面に固着してある下舌片１３ａと、最上層の骨部材３５の先端部上面に固着してある上舌片１３ｂと、これらの両者を係合・離反させる係止具１３ｃとからなる。各舌片はダンボール原紙を長方形に裁断したものからなり、下舌片１３ａには、係止具１３ｃの出入り用溝部１３ｅが設けてあり、上舌片１３ｂには、係止具１３ｃが挿着してある。係止具１３ｃは、掛止部１３ｄを回すことにより下舌片１３ａとの係合・離脱の状態が切り替わる。
【００１９】
図１、図２に示すように、中央シート部材１５は、傘の中央部を遮蔽可能な大きさの長方形の紙を、覆い部材５の上面に一辺を貼付したものからなる。貼付位置は、第２の覆い部材５２と第３の覆い部材５３との境界をまたぐ位置の上面に、両者の境界線をまたぐように状態かつ折り畳み可能に設けてある（図４参照）。中央シート部材１５の中央部には、軸孔１５ａが設けてあり、傘の使用時にはこの軸孔に軸部材１を挿通することにより、全覆い部材５の中央部に生じる空白部分を遮蔽可能としてある。なお、中央シート部材１５は、覆い部材５よりもやや厚めの紙を用いて使用中に容易にめくり上がらないようにするとともに、表面には撥水処理等を施しておく必要がある。
【００２０】
次に、この使い捨て傘の製作要領について説明する。まず、予め最下層及び最上層の骨部材３１，３５の先端部に舌片１３ａ，１３ｂを固着しておく。なお、上に位置する舌片１３ｂには、予め係止具１３ｃを取り付けておく。次に、軸部材１の長手方向の中央部近傍にリング部材１１を圧入して固着し、骨部材３，…を挿着し、その上に別のリング部材１１を圧入して固着することにより、骨組み体を作り上げる。次に、最下層の骨部材３１の上部から順に覆い部材５を貼付する。次に、中央シート部材１５の一端部を２番目と３番目の覆い部材５２，５３の境界をまたぐ位置に、軸孔１５ａが軸部材１に対して挿通可能状態に貼付する。さらに、軸部材１と把手部材７とをストラップ部材９で連結する。最後に、全ての骨部材が折り重なる状態に畳み、把手部材７を折り畳まれた骨部材と並行状態にして束ね、専用袋（図示せず）に入れて出荷可能状態とする。
【００２１】
この使い捨て傘を使用する際には、まず、傘を袋から取り出し、把手部材７を軸部材１の下端部に継ぎ足して固定し、次に、保持部材１３の係止具１３ｃを回して最下層の骨部材３１と最上層の骨部材３５との結合状態を解除する。次に上記の両骨部材を、軸部材１を中心として相対的に回して覆い部材５を、扇子を広げる要領で開いた状態にする。さらに、上記の保持部材１３により再び、上記の両骨部材３１，３５を結合することにより傘を開いた状態に保持する。なお、この傘を畳む時には、保持部材１３による保持状態を解除してから、扇子を畳む時の要領で折り畳み、最後に保持部材１３により保持状態とし、把手部材７を軸部材１から引き抜くことによりコンパクト化させることが出来る。この後は乾燥させて再使用可能である。また、可燃ごみとして廃棄するとしても焼却時に有害ガスを発生させないので、公害問題を生じるおそれはない。なお、製作要領や使用方法における操作の順序は例示であり、これに拘るものではない。
【００２２】
この使い捨て傘は、雨傘又は日除け傘としてコンビニエンスストアなどによる販売に適するが、そのほか、野球場やサッカー場においてそこでプレーするフランチャイズチームのチームカラー、チームキャラクター等を覆い部材に表示したものを販売すれば、プレーを盛り上げるのに一役果たすことが期待できる。なお、これまでの説明において、上記の各部材の素材を紙としてあるが、これに限定する趣旨ではなく、有害ガスを発生するおそれがないものであれば、木材や合成樹脂あるいはこれらの組合せを用いて製作したものであってもよい。
【産業上の利用可能性】
【００２３】
本考案は、使い捨て傘に関するものであり、本考案の実施により製造工業や流通産業の発展に貢献可能である。
【図面の簡単な説明】
【００２４】
【図１】使い捨て傘の使用可能状態を示す斜視図である。
【図２】使用可能状態を示す正面図である。
【図３】骨部材の例を示す斜視図である。
【図４】折り畳んだ状態を示す正面図である。
【図５】覆い部材を貼付する前の状態を示す斜視図である。
【符号の説明】
【００２５】
１                  軸部材
３（３１〜３５）    骨部材
５（５１〜５４）    覆い部材
７                  把手部材
９                  ストラップ部材
１１                リング部材
１３                保持部材
１５                中央シート部材
【図１】
0003121495.tif 000003
【図２】
0003121495.tif 000004
【図３】
0003121495.tif 000005
【図４】
0003121495.tif 000006
【図５】
0003121495.tif 000007